(57)【要約】【課題】筐体の底面の開口面積を低減することができ、筐体の強度が損なわれたり設計の複雑化を招くことを防止できるとともに、従来に比べて機能拡張用基板の取付け及び取り外しを容易に行うことのできる電子機器を提供する。【解決手段】主基板（マザーボード）３が収納され筐体１の側面には、開閉自在なドア６が設けられている。このドア６の内側は、機能拡張用基板収容部７とされ、ソケット８が設けられている。ソケット８には、機能拡張用基板として、メモリを搭載したメモリ基板９を着脱自在に装着できるようになっている。【選択図】図２
2005190296.tif 000002
【特許請求の範囲】
【請求項１】
演算装置が搭載された主基板と、
前記主基板を収容し、上面にキーボードが設けられた筐体と、
前記筐体の側面側又は前面側又は背面側のいずれかに設けられ、開閉自在とされたドアと、
前記ドアの内側に設けられ、機能拡張用基板を収容可能とされた機能拡張用基板収容部と、
前記機能拡張用基板収容部内に設けられ、前記機能拡張用基板を脱着可能とされ、前記主基板と前記機能拡張用基板とを電気的に接続するソケットと、
を具備したことを特徴とする電子機器。
【請求項２】
前記拡張機能用基板が、メモリを搭載したメモリ基板、無線通信機能電子回路を搭載した無線基板、モデム機能電子回路を搭載したモデム基板のいずれかであることを特徴とする請求項１記載の電子機器。
【請求項３】
前記ドアが、前記筐体に支持されたヒンジを回転軸として回動し、開閉するよう構成されたことを特徴とする請求項１又は２記載の電子機器。
【請求項４】
前記ソケットが上下に重ねて複数設けられ、前記機能拡張用基板収容部内に複数の前記機能拡張用基板を収容可能とされたことを特徴とする請求項１乃至３いずれか１項記載の電子機器。
【発明の詳細な説明】
【技術分野】
【０００１】
本発明は、電子機器に係り、特にＣＰＵ（Central Processing Unit）が搭載された主基板に機能拡張用基板を装着可能とされたノートブック型パーソナルコンピュータ等の電子機器に関する。
【背景技術】
【０００２】
近年、パーソナルコンピュータ等の電子機器では、ＣＰＵが搭載された主基板（マザーボード）に対して、必要に応じて機能拡張用基板（ドーターボード）を装着可能とすることにより、多機能化と多様なニーズに対応可能とすることが行われている。例えば、必要に応じてメモリを搭載したメモリ基板を増設したり、無線ＬＡＮ（Local Area Network）やモデムを必要とする場合はこれらの機能を有する電子回路が搭載された無線LＡＮ基板やモデム基板を選択して装着することにより、使用者が必要とする機能を選択できるようにしている。
【０００３】
このような電子機器のうち、例えば、ノートブック型パーソナルコンピュータ等では、小型化する必要があるため、上記の機能拡張用基板の取付け部分が制限される。このため、従来は、主基板が収納され上面にキーボードが設けられている筐体の底面に、ネジ止めされた蓋を設け、この蓋を取り外してメモリ基板、無線ＬＡＮ基板、モデム基板等の機能拡張用基板の取付け及び取り外しを行うように構成されている。
【０００４】
また、上記のような機能拡張用基板ではなく、略カード状の筐体内に基板を収容した所謂ＰＣカードをＰＣカードスロットに装着することにより、例えば無線ＬＡＮ等の機能を実現することも行われている。このようなＰＣカードは、ＰＣカード自身が筐体を具備していることから、通常のノートブック型パーソナルコンピュータ場合、主基板が収納された筐体の側面等に設けられたＰＣカードスロットに差し込み、その一部が外部に露出した状態で使用されるようになっている（例えば、特許文献１参照。）。
【特許文献１】特開2000-137544 号公報（第２−４頁、第１−１０図）
【発明の開示】
【発明が解決しようとする課題】
【０００５】
上述したように、従来のノートブック型パーソナルコンピュータ等の電子機器では、筐体の底面にネジ止めされた蓋を開けることによって、機能拡張用基板の取付け及び取り外しを行うようになっている。
【０００６】
しかしながら、筐体の底面には、例えば、ＣＰＵ交換用の開閉部、バッテリパック交換用の開閉部等を設ける必要があり、また、ＣＯＡラベル、定格銘板等の各種のラベルも貼着する必要がある。さらに、機種によっては着脱可能なセカンダリモジュールベイを備えるものがあり、そのためのスペースも必要となる。このため、筐体の底面における使用可能な領域が減少する傾向にある。そして、筐体の底面に多数の開閉部分を設けるために設計が複雑になったり、筐体の強度が損なわれたりする可能性が生じている。
【０００７】
また、機能拡張用基板の取付け及び取り外しの際、筐体を裏返し、底面に設けられたネジを取り外して蓋を開ける必要があるため、その着脱作業が繁雑であり、時間もかかるという問題もある。
【０００８】
本発明は、このような課題に対処するためになされたもので、筐体の底面の開口面積を低減することができ、筐体の強度が損なわれたり設計の複雑化を招くことを防止できるとともに、従来に比べて機能拡張用基板の取付け及び取り外しを容易に行うことのできる電子機器を提供しようとするものである。
【課題を解決するための手段】
【０００９】
本発明の電子機器は、演算装置が搭載された主基板と、前記主基板を収容し、上面にキーボードが設けられた筐体と、前記筐体の側面側又は前面側又は背面側のいずれかに設けられ、開閉自在とされたドアと、前記ドアの内側に設けられ、機能拡張用基板を収容可能とされた機能拡張用基板収容部と、前記機能拡張用基板収容部内に設けられ、前記機能拡張用基板を脱着可能とされ、前記主基板と前記機能拡張用基板とを電気的に接続するソケットと、を具備したことを特徴とする。
【００１０】
また、本発明の電子機器は、上記の電子機器において、前記拡張機能用基板が、メモリを搭載したメモリ基板、無線通信機能電子回路を搭載した無線基板、モデム機能電子回路を搭載したモデム基板のいずれかであることを特徴とし、さらに、前記ドアが、前記筐体に支持されたヒンジを回転軸として回動し、開閉するよう構成されたことを特徴とし、さらにまた、前記ソケットが上下に重ねて複数設けられ、前記機能拡張用基板収容部内に複数の前記機能拡張用基板を収容可能とされたことを特徴とする。
【発明の効果】
【００１１】
本発明の電子機器によれば、筐体の底面の開口面積を低減することができるので、筐体の強度が損なわれたり設計の複雑化を招くことを防止することができ、また、従来に比べて機能拡張用基板の取付け及び取り外しを容易に行うことができる。
【発明を実施するための最良の形態】
【００１２】
以下、本発明を実施するための形態について説明する。
【００１３】
図１は本発明の一実施形態に係る電子機器としてのノートブック型パーソナルコンピュータの外観の概略構成を示すものである。同図に示すように、筐体１の上面にはキーボード２が設けられており、この筐体１内には、図２に示すように主基板（マザーボード）３が収納されている。この主基板３には、図示しないＣＰＵ（演算装置）が搭載されている。また、筐体１には、回動自在に蓋部４が取り付けられており、この蓋部４の内側面には、液晶表示装置等からなるディスプレイ５が設けられている。
【００１４】
図１，２に示すように、筐体１の側面には、開閉自在なドア６が設けられている。そして、図２に示すように、このドア６の内側は、機能拡張用基板収容部７とされている。この機能拡張用基板収容部７内には、上下に２段にソケット８が設けられており、これらのソケット８には、夫々機能拡張用基板として、メモリを搭載したメモリ基板９を着脱自在に装着できるようになっている。
【００１５】
図３は、上記のソケット８の部分を筐体１の底面側から見た状態を示すもので、同図に示すように、ソケット８の両側には、爪１０が設けられている。そして、ソケット８にメモリ基板９を挿入した際に、両側の爪１０によってメモリ基板９を挟み込んで固定するよう構成されている。なお、このようなソケット８及び爪１０の構成は、底面からメモリ基板９を着脱する従来のノートブック型パーソナルコンピュータのものと同一である。
【００１６】
上記ドア６は、ヒンジ１１によって筐体１に支持されており、このヒンジ１１を回転軸として回動自在とされている。このドア６は、通常時は図２に示すように閉めた状態とされている。そして、メモリ基板９を取付け、及び取り外しする際は、図４に示すように、このドア６をヒンジ１１を回転軸として回動させて開き、この状態でメモリ基板９をソケット８に装着及び脱着するようになっている。
【００１７】
また、ソケット８は下方に向けて回動可能となっており、例えば、メモリ基板９を取り外す際には、図４に示すように、一旦ソケット８を下方に向けて回動させ、この状態で、メモリ基板９を斜め下方に向けて引き抜くようになっている。
【００１８】
なお、ドア６の先端部分及びこれに対応する筐体１の部分には、ドア６を閉めた状態で固定するための図示しない嵌合機構が設けられている。
【００１９】
以上のように構成された本実施形態では、例えば、筐体１の側部を僅かに持ち上げたり、ドア６の部分が机の隅からはみ出すように筐体１を配置すれば、ドア６を開けることができ、この状態でメモリ基板９の取付け、及び取り外しを行うことができる。したがって、筐体１を裏返しにしてネジの取り外し等を行う場合に比べて、容易に短時間で、メモリ基板９の取付け、及び取り外しを行うことができる。また、ドア６が占める筐体１の底面の面積を小さくすることができるので、筐体１の底面に設ける開口の面積が増大することを抑制することができ、筐体１の強度が損なわれたり設計の複雑化を招くことがない。
【００２０】
上記の実施形態では、従来のノートブック型パーソナルコンピュータと同一の形式のコネクタ８を用いた場合について説明したが、次に水平方向にメモリ基板９を挿入、引き抜きする形式のコネクタ８０を使用した実施形態について図５及び図６を参照して説明する。本実施形態では、ドア６０が筐体１の側面のみに位置するよう設けられており、筐体１を通常の使用状態のように机上等に置いた状態で、ドア６０を開閉することができるようになっている。そして、図６に示すように、ドア６０を開け、メモリ基板９を水平方向に引き抜き、及び挿入することによって、メモリ基板９の取付け及び取り外しを行うよう構成されている。
【００２１】
上記構成の実施形態によれば、前述した実施形態より更に容易に短時間で、メモリ基板９の取付け、及び取り外しを行うことができる。また、ドア６０が占める筐体１の底面の面積がないので、筐体１の底面の開口面積を低減することができ、筐体１の強度が損なわれたり設計の複雑化を招くことがない。
【００２２】
なお、上記した各実施形態では、機能拡張用基板がメモリ基板９の場合について説明したが、本発明はかかる実施形態に限定されるものではない。すなわち、他の機能拡張用基板、例えば無線ＬＡＮ機能電子回路を搭載した無線ＬＡＮ基板、モデム機能電子回路を搭載したモデム基板等についても同様にして適用することができる。
【００２３】
また、上記した各実施形態では、メモリ基板９を上下２段に２枚搭載可能に構成した場合について説明したが、１枚のみ搭載可能とすることもでき、３枚以上搭載可能とすることができることは、勿論である。
【００２４】
さらに、上記した各実施形態では、ドア６，６０を筐体１の側面に設けた場合について説明したが、ドア６，６０筐体１の側面に限らず、前面や背面に設けても良い。
【図面の簡単な説明】
【００２５】
【図１】本発明の一実施形態に係る電子機器の外観の構成を示す斜視図。
【図２】図１の電子機器の要部構成を示す図。
【図３】図２の電子機器のソケットの構成を示す図。
【図４】図２の電子機器のドアを開いた状態を示す図。
【図５】本発明の他の実施形態に係る電子機器の要部構成を示す図。
【図６】図５の電子機器のドアを開いた状態を示す図。
【符号の説明】
【００２６】
１…筐体、２…キーボード、３…主基板（マザーボード）、４…蓋部、５…ディスプレイ、６，６０…ドア、７…機能拡張用基板収容部、８，８０…ソケット、９…メモリ基板（機能拡張用基板）、１０…爪、１１…ヒンジ。
【図１】
2005190296.tif 000003
【図２】
2005190296.tif 000004
【図３】
2005190296.tif 000005
【図４】
2005190296.tif 000006
【図５】
2005190296.tif 000007
【図６】
2005190296.tif 000008